(57)【要約】【課題】就寝中に寝返りを打ち、例えば仰臥位置から側臥位置に寝姿勢を変えた際に、頭部が枕の特定の位置に固定されるようなことはなく自由に身体と共に枕面を転動し頸椎周囲に無理な姿勢をとらせるような状況の生ずることの無い枕を提供する。【解決手段】複数の突起を上面に並列し高さを均して突出すると共に上部溝を突起間に配し、前記上部溝と交差し、該交差部を通気孔とした下部溝を底面に配したウレタン発泡体を、表側地及び中仕切地及び、その間に設けた襠布よりなる上部袋体内に封入してなる上部詰物袋、及び、重ね合わせたシート地と裏側地との間に設けた襠布とよりなる袋体内に、パイプ体，綿，ウレタンチップ等の詰物を封入してなる下部詰物袋よりなり、前記上部詰物袋と下部詰物袋を重ね、両者の周縁を、開口手段を配して縫着し一体化すると共に、前記両詰物袋間を吸湿・調湿材を封入可能な空洞部とした。【選択図】図１
0003169132.tif 000002
【実用新案登録請求の範囲】
【請求項１】
複数の突起を上面に並列し高さを均して突出すると共に上部溝を突起間に配し、前記上部溝と交差し、該交差部を通気孔とした下部溝を底面に配したウレタン発泡体を、表側地及び中仕切地及び、その間に設けた襠布よりなる袋体内に封入してなる上部詰物袋、及び、重ね合わせたシート地と裏側地との間に設けた襠布とよりなる袋体内に、パイプ体，綿，ウレタンチップ等の詰物を封入してなる下部詰物袋よりなり、前記上部詰物袋と下部詰物袋を重ね、両者の周縁を、開口手段を配して縫着し一体化すると共に、前記両詰物袋間を吸湿・調湿材を封入可能な空洞部としてなる枕。
【請求項２】
上部詰物袋及び下部詰物袋のそれぞれに設けられた襠布は、各詰物袋内において平面視Ｈ字状に配置され、４区画の小室を形成したことを特徴とする請求項１記載の枕。
【請求項３】
下部詰物袋を構成する袋体の下面に柔軟性を有する生地よりなり開閉自在の筒状の充填口を設け、充填口を介して充填物を袋体内に挿入取出し可能としたことを特徴とする請求項２記載の枕。 
【考案の詳細な説明】
【技術分野】
【０００１】
本考案は、枕内部の通気を良好にし、湿気を発散すると共に、その形態を枕使用者の寝姿勢に容易に合致させる事を可能とした枕に関する。
【背景技術】
【０００２】
枕は、それを使用する者の体形に合致したものを使用しないと、首筋を痛め或は肩が凝ると云うような症状が出ることになる。そのため詰物の量や硬さ或は材質等を適宜案配しているが、仰臥した就寝姿勢のときに寝返りを打って側臥位になると当然枕に対し頭部位置が変化し、仰臥位の際に後頭部が枕と接していたのが側臥位になると側頭部が枕に接することになり枕の高さが身体に馴染まないことになる。これは又人それぞれによって、肩幅が異なり、側臥時の頭部の高さが仰臥時の高さと異なるからである。
【０００３】
にも拘らず枕中央部に凹部を設け、仰臥位の際も側臥位の際も常に後頭部或は側頭部を該凹部に当てるような使用をする枕（引用文献１）が知られているが、この手段では睡眠中の無意識の寝姿勢の変化に対応できず頭部が必要とする高さに応じた位置の変化など自然な姿での就寝がかなわない状態も生じた。
【先行技術文献】
【特許文献】
【０００４】
【特許文献１】実用新案登録第３０５９１７２号公報
【考案の概要】
【考案が解決しようとする課題】
【０００５】
本考案は上記の点に鑑みて、就寝中に寝返りを打ち、例えば仰臥位置から側臥位置に寝姿勢を変えた際に、頭部が枕の特定の位置に固定されるようなことはなく自由に身体と共に枕面を転動し頸椎周囲に無理な姿勢をとらせるような状況の生ずることの無い枕を提供することを目的とする。
【０００６】
また、使用中に発生する湿気，熱等が枕内に籠るのを防止するための導気手段を設けることにより睡眠環境を良好にすることを目的とする。
更に、使用者の体格に応じて、頭部支持部位を変化するための枕の高さ、及び又は、枕詰物の材質，封入量等を適宜選択することを可能としている。
【課題を解決するための手段】
【０００７】
請求項１記載の枕は、複数の突起を上面に並列し高さを均して突出すると共に上部溝を突起間に配し、前記上部溝と交差し、該交差部を通気孔とした下部溝を底面に配したウレタン発泡体を、表側地及び中仕切地及び、その間に設けた襠布よりなる上部袋体内に封入してなる上部詰物袋、及び、重ね合わせたシート地と裏側地との間に設けた襠布とよりなる袋体内に、パイプ体，綿，ウレタンチップ等の詰物を封入してなる下部詰物袋よりなり、前記上部詰物袋と下部詰物袋を重ね、両者の周縁を、開口手段を配して縫着し一体化すると共に、前記両詰物袋間を吸湿・調湿材を封入可能な空洞部とした。
請求項２記載の枕は、請求項１記載の枕において、上部詰物袋及び下部詰物袋のそれぞれに設けられた襠布は、各詰物袋内において平面視Ｈ字状に配置され、４区画の小室を形成した。
請求項３記載の枕は、請求項２記載の枕において、下部詰物袋を構成する袋体の下面に柔軟性を有する生地よりなり開閉自在の筒状の充填口を設け、充填口を介して充填物を袋体内に挿入取出し可能とした。
【考案の効果】
【０００８】
本考案枕は、複数の突起を上面に並列し高さを均して突出すると共に上部溝を上面に配し、前記上部溝と交差し、該交差部を通気孔とした下部溝を底面に配したウレタン発泡体を、表側地及び中仕切地及び、その間に設けた襠布よりなる袋体内に封入して上部詰物袋としているため、上部詰物袋の上面は枕全体に一連に連続しており、睡眠中に仰臥姿勢から寝返りなどして側臥姿勢にかわり枕と接する頭部の位置が後頭部から側頭部に回転し変化するような際でも、特に頭部，頸椎などを刺激することなく自然に動作が行え、睡眠が損なわれることはない。
【０００９】
また、本考案枕にあっては、前記した上部詰物袋の下部に、重ね合わせた裏側地とシート地とその間に介在する襠布とよりなる袋体内に、パイプ体，綿，ウレタンチップ等の詰物を封入してなる下部詰物袋を重ね両者の周縁を、開口手段を配して縫着し一体化すると共に、前記両詰物袋間を空洞部としているため、該空間に適宜吸湿，調湿材を封入することにより湿度が過多になるのを防止することが可能となる。
【００１０】
本考案枕にあっては、上部詰物袋及び下部詰物袋のそれぞれに設けられた襠布は、各詰物袋内において平面視Ｈ字状に配置され、４区画の小室を形成しているため、中央の２つの小室は一方が後頭部を支え他方が頸部を支えることを可能にし、それぞれ頭部，頸部の高さ・重量を支えるに適した量の詰物を充填することが出来、かつ、その中央の小室の両側の室の詰物は、寝返り等で頭部がどこに移動するか不確かな処があるので枕上面両側に広く均一に詰物を入れることが出来る。
【００１１】
また、本考案枕にあっては、上部詰物袋と下部詰物袋の上下２層になった詰物袋の、下位に位置する下部詰物袋において、下部詰物袋を構成する袋体の下面に柔軟性を有する生地よりなり開閉自在の筒状の充填口を設け、充填口を介して充填物を袋体内に挿入取出し可能としたために、枕の高さ或は硬さ等の調節のために詰物を袋体に出し入れし増減したような場合に、それら詰物の存在は、上部詰物袋を介して就寝者に伝わるので詰物の変化は上部詰物袋の存在により柔軟に伝えられ急激な状況変化と受け取られることはない。
【図面の簡単な説明】
【００１２】
【図１】本考案枕の平面図。
【図２】同底面図。
【図３】中仕切地の平面図。
【図４】本考案枕の背面図。
【図５】図１におけるＡ−Ａ線断面図。
【図６】図１におけるＢ−Ｂ線断面図。
【図７】ウレタン発泡体を示し、図Ａは平面図、図Ｂは図ＡのＢ−Ｂ断面図、図Ｃは図ＡのＣ−Ｃ断面図。
【考案を実施するための形態】
【００１３】
本考案を実施するための形態を図面と共に次に説明する。
本考案枕１は、表側地２とその下部に重ねて設けた中仕切地３との間を繋ぐ襠布４間に詰物５を挿入してなる上部詰物袋６と、裏側地７と、その上部に重ねて設けたシート地８との間を繋ぐ襠布９間に詰物１０を挿入してなる下部詰物袋１１とを重ね、上部詰物袋６の中仕切地３と下部詰物袋１１のシート地８との外周縁を縫合することにより上部詰物袋６と下部詰物袋１１との間を吸湿・調湿材１７を封入可能な空洞部１２としている。  
【００１４】
重ね合わせた上部詰物袋６と下部詰物袋１１のまくら幅方向に延びる頭頂側の端縁部に接して、筒状をなした袋体１３に硬めに詰物１４を封入した緩衝部材１６を、表側地の端縁部分２ａと裏側地の端縁部分２ｂとによって被っている。  
【００１５】
次に上部詰物袋６及び下部詰物袋１１の詳細について説明する。
上部詰物袋６は図１に示す表側地２と図３に示す中仕切地３とを重ね、その間に図１に点線で示すＨ字状に襠布４を配置し（イ）（ロ）（ハ）（ニ）の４つの小室を形成し、各小室を構成する中仕切地３の各小室相当位置にスリット１５を設け、各小室にそれぞれスリット１５の部分から詰物５を挿入出来るようにしている。
【００１６】
上部詰物袋６に挿入する詰物５はポリウレタン発泡体とし、図７に示す如く基盤２０の上面に突出する突起２１を縦横方向に列設し、該突起２１の複数間隔ごとに突起２１間に上部溝２２を基盤２０内部に深く達するまで並列して設ける。突起と反対の基盤底面１９は平面とし、前記上部溝２２と交差する下部溝２３を、上部溝２２と下部溝２３との最奥部が交差するように設ける。上記最奥部の溝径は他部にに比して若干太くなっている。
上部溝２２と下部溝２３との交差により、交差した点において基盤２０には表面の突起２１の基部から基盤底面まで詰物５を貫通した通気孔２４（図７Ａに図示）が作られている。
【００１７】
下部詰物袋１１は、シート地８と裏側地７とを重ね合わせたその間に図１に示す上部詰物袋６と同様にＨ字状に襠布９を設け４つの小室イ，ロ，ハ，ニをシート地８と裏側地７との間に形成する。各小室を構成する裏側地７の各小室相当位置に図２に示す如くファスナー２６を設け、ファスナー開口内部には詰物の出し入れを行い、或は収容した詰物の脱出を防止するための筒状シートよりなる充填口２７を設けている。充填口２７は、詰物１０を小室内に充填する際はファスナー２６を開き、充填口２７を引き出して充填口２７を通して小室内に詰物１０を入れてから筒状体を折り畳んで詰物が外部に流れ出るのを阻止し、ファスナーを閉じることで小室内に詰物１０を保つことが出来る。
【００１８】
表側地２と裏側地７との周縁は縫着され枕側地袋を構成しているが、周縁の一部（図示の例では緩衝部材１６の外周に沿った位置）にファスナー２８を設け、該ファスナー２８を開くことによって、枕側地内に手を挿入することが可能となる。例えばウレタンフォームの詰物５を取り換えるような場合には側地のファスナー２８を開き、上部詰物袋６と下部詰物袋１１を現わし、交換する詰物が収まっている中仕切地３のスリット１５の位置を確認した上で、該スリット１５に手を差し伸べスリット１５から当該小室に収容されている詰物を取り出し、上部詰物袋６から詰物５を外すことが出来る。新しい詰物を入れる際はこの逆の過程を経ることになる。  
【００１９】
本考案枕１にあっては、ウレタン発泡体の突起が並列した上部詰物袋６の突起面を上面にして、該面に頭部を載置するようにして使用する。そして、上記発泡体の突起の頂部の位置はほぼ平面になるよう均し、特に凹凸部を形成するようなことはないために就寝時に寝返りを打って頭部が回転しても、回転の障害となるような枕面の凹凸はないから頭部などに無理な力を生じさせたりすることなく使用できる。  
【００２０】
上部詰物袋６内のウレタン発泡体には縦横両方向に交差している上部及び下部溝があり熱の放散路が多いために、枕の使用による発汗その他により生ずる熱が該溝を経て外部に逃れることが可能で、更に詰物の厚さ方向にも通気孔２４が設けられており一層の効果が期待できる。
【００２１】
上部詰物袋６と下部詰物袋１１との先端部に設けられている緩衝部材１６は筒状をした袋体１３内に硬めに詰物１４を封入してあり、かつ、その筒状体は枕の幅方向に延びているために枕の保形性を高める作用も発揮することが出来るばかりでなく、例えば、就寝中に身体の動きに引かれて枕が移動したりした場合に、枕の先端部に緩衝部材１６が備えられているため、緩衝部材１６が先ず、例えばベッドのヘッドボードに当接することにより、かつ、枕は硬めの詰物を封入しているために、枕が変形して就寝者の寝姿勢に影響を与えるというような事態の生ずるのを防止することもできる。
【符号の説明】
【００２２】
１  枕  
２  表側地
３  中仕切地
４  襠布
５  詰物
６  上部詰物袋
７  裏側地
８  シート地
９  襠布
１０  詰物
１１  下部詰物袋
１２  空胴部
１３  筒状をなした袋体
１４  詰物
１５  スリット
１６  緩衝部材
１７  吸湿・調湿材
１９  基盤底面
２０  基盤
２１  突起
２２  上部溝
２３  下部溝
２４  通気孔
２６  ファスナー
２７  充填口
２８  ファスナー  
【図１】
0003169132.tif 000003
【図２】
0003169132.tif 000004
【図３】
0003169132.tif 000005
【図４】
0003169132.tif 000006
【図５】
0003169132.tif 000007
【図６】
0003169132.tif 000008
【図７】
0003169132.tif 000009